(57)【要約】【課題】囲碁や日本将棋には長い歴史があり完成度の高い優れた競技であるが、日本ではその競技人口が減少しており、それに携わる関係者の正しい現状認識と普及努力が必要である。イメージの改善も大きな課題であり、囲碁で疑問にも思わなかった交点への着手も考慮すべき重要な点である。【解決手段】囲碁で交点に打つ石を新囲碁では升目に打ち、使用する碁盤は面数で表現する。十九路盤の役割を３６１面盤、九路盤は８１面盤、十三路盤は１６９面盤が受け持つ。線上に打たないので線も立体化でき、石を面に打つことで様々な良い効果が期待できる。碁盤の大きさに石を合わせ８１面盤では升目を大きくし、石も拡大する。囲碁ソフトやウェブ上のネット碁でも同様である。日本将棋の盤を新囲碁に利用でき、大きな石は日本将棋の駒に利用できる。囲碁将棋兼用の道具も生まれ双方の利益になる。この発明により新碁の良さが認識されれば囲碁の長い歴史における大転換期になる可能性がある。【選択図】図１
2009297475.tif 000002
【特許請求の範囲】
【請求項１】
囲碁ルールにおける石の着手場所である盤面上の交点を升目に変更した囲碁ゲームで１９×１９＝３６１の升目で構成した碁盤。
【請求項２】
囲碁ルールにおける石の着手場所である盤面上の交点を升目に変更した囲碁ゲームで９×９＝８１の升目で構成した碁盤。
【請求項３】
囲碁ルールにおける石の着手場所である盤面上の交点を升目に変更した囲碁ゲームで１３×１３＝１６９の升目で構成した碁盤。
【請求項４】
請求項１、請求項２、請求項３の升目を区分けするために凸条の高さのある立体的な線を用いた碁盤。
【請求項５】
請求項１、請求項２、請求項３の升目を区分けするために凹条の溝の線を用いた碁盤。
【発明の詳細な説明】
【技術分野】
【０００１】  本発明は、石の着手を盤面の升目に打つ囲碁ゲームと、囲碁と日本将棋の普及に関する。
【背景技術】
【０００２】  囲碁の歴史は「四千年」とも言われ、かなり長い歴史があるが起源を裏づける証拠はない。当初中国で碁盤は十五路盤や十七路盤が主流で、唐の時代に十九路盤が本格的に使われるようになり、中国から日本へ囲碁が伝えられたのは五世紀ごろとされる。徳川家康は囲碁を愛好し奨励した結果、囲碁の技量は大いに高められ発展し「国技文化」にまで至る。明治維新とともに家元制度は廃止され、一般の職業としてプロ棋士が誕生し、日本では１９２４年に日本棋院（棋士を統括し、棋戦を行っていくための組織）が創立した。【０００３】  現在囲碁の碁盤は十九路盤が主流で、一般的に囲碁とはこれに石と碁笥を使ったゲームを指す。十九路盤以外に単手数で終局するために手軽な九路盤、十三路盤が入門や初級用、お好み用としてある。九路盤、十三路盤の両面盤は升目の大きさは十九路盤と同じで、十三路盤の盤面に合う大きさで、反対面の九路盤は直接使用しない盤側の外部分が広くなっている。【０００４】  日本で囲碁は日本囲碁規約により、地を争う競技とあり、その地は線の交わる交点を１目と数える。交点は十字、Ｔ字、Ｌ字の三通りがあり、見た目は違うが同じ１目と数え、地を計算するためにはそれを理解する必要がある。石で囲んだ同じ大きさの地でも、視覚的には隅よりも辺が、辺よりも中央が大きく見える。【０００５】  韓国棋院は１９５５年に、中国囲棋協会は１９８１年に創立され、国際囲碁普及として１９８２年に国際囲碁連盟（事務局は日本棋院）が設立された。日本は江戸時代からこの頃までは技量も研究も世界１位の囲碁先進国であったが、現在の国際大会では韓国や中国が優位である。その原因として韓国や中国などは情報化時代の恩恵（インターネットや書籍による情報の流通）を受け、日本の技術（定石や布石あるいは対局棋譜）などが研究しやすくなったこと、国内棋戦より高賞金の国際棋戦で勝利する棋士が出始め囲碁人気が高まったこと、韓国では優勝者への兵役免除などの政策の効果も大きく囲碁教室の数も増えたこと、中国では中国囲棋協会の創設とともに棋士を目指す若者が増え、国内に囲碁リーク戦が開かれるようになり、その結果国民の注目度が日本とは歴然と違うことが挙げられ、囲碁人口の差にそれが現れている。【０００６】  世界の囲碁人口は約４２００万人で上昇傾向にあり、中国約２５００万人、韓国約９００万人である。日本は約３６０万人（２００７年版レジャー白書）で、ここ数年間で減少傾向にあり、日本将棋人口も１９８５年の約１６８０万人から約７１０万人へ減少（２００６年レジャー白書）している。【０００７】  各国の代表的な将棋は、日本は日本将棋、韓国はチャンギ、中国は像棋、インドはチャトランガ、タイはマークルック、西欧はチェスである。将棋の起源は通説によれば古代インドと言われ、西洋に渡ってチェス、中国から日本へ渡って日本将棋になったとされるが伝来時期は明らかではない。日本将棋連盟は四段以上の専門棋士によって組織される団体で、総会で二年ごとに選出された役員、及び職員により運営され、前身の東京将棋連盟が結成された１９２４年を創立年としている。【０００８】  日本将棋は縦横９升に区切られた盤上に駒を配置し、それらの駒を動かすことでゲームが進められ、���った駒を再利用できるルールが特徴であり、その駒を置く台を駒台という。将棋盤の１升の大きさは縦約３９ｍｍ、横約３４ｍｍで駒の形状に合わせて縦の方が多少長い。碁盤の升は縦約２４ｍｍ、横約２２ｍｍで、こちらは石の形状ではなく、斜め前方から見やすいように縦が多少長くなっているが、将棋盤の比率よりは小さい。【０００９】  各国の将棋は形やルールは違うが駒を動かす点では同じである。チャンギと像棋は線上に駒を置く共通点があり、日本将棋を含め他国の将棋は線などで区分けした升目の中に駒を置く共通点がある。囲碁は線上の交点に石を置き、ここがチャンギ、像棋と同じであり、日本将棋やチェス等とはっきりと違う所である。【００１０】  西欧で親しまれているチェスは視覚的にも楽しめる彫像的形状で、盤、駒もカラフルなデザインが多い。日本で囲碁、将棋があまり普及しない要因として、テレビゲームの影響、趣味の多様化、難しいイメージ、地味なデザインなどが挙げられる。この点を解決するために実登３１１０５３４「日本将棋駒」が提案されている。
【発明の開示】
【発明が解決しようとする課題】
【００１１】  囲碁には長い歴史と文化があるが、交点に石を着手する慣習は変わらずに今日に至っている。日本棋院の囲碁規約の前文に「基本は日本の囲碁方法の範囲とする」と書いてあり、囲碁はそれだけ完成された素晴らしいゲームである事が覗える。プロ棋士も含めほとんどの囲碁愛好家は石を交点に打つことは絶対の事として疑わないが、囲碁の発展を望むなら検証する価値があり、今それに気がついたのは不思議であり驚きでもある。【００１２】  囲碁、将棋人口の減少傾向が続く中「ヒカルの碁」と言う漫画（１９９８年〜２００３年週刊少年ジャンプ）が人気になり、テレビでアニメ放映され一時期囲碁入門者が増えたが、その後また減少傾向にある。日本の囲碁人口は約３６０万人と言われ、国民の割合にすると約３．６％に過ぎない。これではとても一般的な趣味とは言えず、囲碁、将棋の教室、碁会所、将棋道場や関連産業もその減少と共に衰退し、このままではその殆どが厳しい状況にある。【００１３】  囲碁は盤面上の交点に石を打つが、線上にきちんと石を置いたり地を数えたりすることは、お年寄りなど目の弱い方には大変な作業であり、その交点も辺端や隅の角の交点は十字ではなく、錯覚や計算間違いの原因になることもある。しかし盤面の辺端や角を十字の交点にすることはデザイン上あまり好ましくない。【００１４】  現在囲碁で広く一般に使用されている碁盤は十九路盤で、デザイン的に見るとカラフルとはいえないが、かなり高価な足付き盤もある。入門用やお好み用には手軽な九路盤、十三路盤の両面盤があるが、おもちゃの様で安っぽく、囲碁を知らない子供達や多くの人々が興味を覚えるデザインとは思えない。石の大きさに碁盤を合わせているので、九路盤は盤面側外の無駄なスペースが多い。【００１５】  囲碁と将棋を覚えて実際に対局するには用具が必要になる。囲碁は碁盤と石と碁笥、日本将棋は将棋盤と駒と駒台が必要で、両方のゲームを同時に覚えるには沢山の用具と場所が必要になり大変である。しかし囲碁も将棋も同じ日本文化で、お互いが協力できる環境が望ましい。
【課題を解決するための手段】
【００１６】  本発明により上記課題を解決することが期待できる。囲碁で交点に打つ石を升目に変更して打つことをここでは新碁と呼び、新碁での囲碁ゲームを新囲碁と呼ぶことにする。現在の十九路盤は新囲碁では競技に支障が出るため盤面上の升目を増やす必要があり、３２４升から３６１升で構成される碁盤となる。現在の表現なら二十路盤となるが、升の列を路で表現すればやはり十九路盤となる。解りにくいので以降新囲碁の盤は１升を１面と面数で表現する。升目の区分けには、ただ線を引くのではなく溝にすることや、線を盛り上げて立体的にすることで石のずれ防止にもなり、視覚障害者にも優しい碁盤となる。【００１７】  現在囲碁の入門、初級者用またはお好み用として九路盤、十三路盤の両面盤があり、新囲碁では同様の役割を８１面盤、１６９面盤の両面盤が受け持つ。囲碁ソフトやインターネットによるウェブ上の盤に於いても新碁の盤は同様である。８１面、１６９面の両面盤は普及の観点からも役割は大きく重要であり、石の大きさに盤を合わせるのではなく、盤の大きさに石を合わせることを提案する。【００１８】  日本将棋盤の升目数は新囲碁の８１面盤と同じ数であることがわかる。新囲碁の両面盤の８１面盤は現在の九路盤と比較して升目を大きくし、盤面の広さも反対面の１６９面盤と同様にする。８１面盤では３６１面盤用の石では小さすぎるため、升目にあわせて大きくする必要がある。その石で日本将棋盤を碁盤としても代用でき、幅１寸〜２寸の将棋盤なら反対面を１６９面盤にすれば将棋を含め３通りの使い方が出来る。【００１９】  新囲碁の両面盤では反対面と升の大きさが違うため大小２種類の碁石が必要になる。８１面盤用の石は現在使用の形状（円形）で拡大する方が石の持ち方や打ち方の基本練習用としては望ましい。石の面にアニメや模様をデザインすれば華やかになり、石に日本将棋駒を１セット分デザインすれば日本将棋駒の代用にもなる。材質は現在使用している石から日本将棋駒のような木材も考えられる。チェス盤は６４升ありチェスゴマが二組あれば６４個になり色も二色の構成なので、碁盤も石も必要なく練習用として簡易に代用できる。【００２０】  日本将棋盤を新囲碁の８１面盤に代用するときの碁笥は、将棋の駒台も兼ねるため形状は四角で、中を空洞にして石や駒を収納できるようにし、その上部を蓋にして開けて外せるようにし、取った石は蓋に入れる。
【発明の効果】
【００２１】  本発明では石の着点を升目にすることを除けば従来どおりのルールで囲碁ゲームを楽しむことができ、現囲碁愛好家にも慣れれば同様に楽しめる。石の着点が升目のため見やすく、思考にも良い影響があると思われ、視覚的に錯覚しがちな中央の地と隅の地の大きさや計算間違いも多少改善され、特に入門者や初級者には良薬の働きがある。囲碁ソフトやウェブ上の碁盤画面でも同様で着点の変化による好影響が期待できる。線上に石を置かないので升目を仕切る方法は普通の線以外にも色々と考えられる。例えば溝を作り線にしたり、高さのある立体的な線にしたりすれば石のずれ防止にもなり、手でふれて升の区別も容易になる。黒石、白石のどちらかに凹凸をつけて区別できる石を用意すれば、視覚障害者が新囲碁をするためにも役立つ。新囲碁は将棋駒を升目に置き思考する国の人には受け入れやすいと思われ棋力の向上も期待できる。８１面盤の升目を盤面に合わせて大きくし、石もそれに合わせて拡大すれば碁盤としての高級感も出る。将棋盤の升目は多少縦長だが新囲碁の練習用として手軽に代用できる。石に日本将棋駒を１セット分デザインすれば日本将棋駒の代用にもなり、碁笥と駒台、駒入れに使える兼用碁笥は省エネの効果もある。視覚的にも楽しめそうな碁盤ならイメージもよくなり囲碁の普及にも役立つ。チェス駒で碁石を代用することもできる。囲碁が普及し世界中の人々に愛されるゲームになれば日本文化の価値も高められる。高齢化社会に於いて、お年寄りが囲碁や将棋を覚えて人との交流が多くなれば、老後の人生が豊かになり頭を使うことで脳も活性化し、認知症などの予防にも役立ち、寿命も延びることが期待でき、それに伴う様々な産業を生みだす効果が期待できる。本発明による新囲碁が現在の囲碁愛好者も含め多くの方々に素晴らしいと評価されるなら、近い将来囲碁ルールが変わることも考えられ、日本のみならず囲碁の長い歴史における大転換になる可能性がある。
【発明を実施するための最良の形態】
【００２２】  図面の図１がこの考案の形を良く表している新囲碁の３６１面盤で升目に石を打ち、線は溝や立体形にする。図２の２が８１面盤、３が反対面の１６９面盤で、普及の面からもその役割は重要である。現在使用の図４の両面盤と大きさは同じだが、チェス盤にも引けを取らない雰囲気と風格があり海外での囲碁普及にも期待できる。図３は現在使用している十九路盤で交点に石を打ち、交点の形は３種類ある。図５の７が日本将棋盤で升の大きさも図２の８１面盤とほぼ同じなので２の代用になる。８は将棋盤横の駒台を兼用する碁笥。図６は新囲碁に使用する石で碁盤の升に納まる大きさにし、９は３６１面盤と１６９面盤で使用する大きさの石、１０は８１面盤と日本将棋盤で使用する大きさの石である。新囲碁により碁盤や石などもデザインし易くなり、画面上の新囲碁でも同じである。
【実施例】
【００２３】  次に本発明の実施形態を少なくとも１つ以上記載し、図面に従って説明する。図１は新囲碁を打つための３６１面盤を上から見た平面図。碁盤の大きさは現在の十九路盤と同様だが、１升の大きさは縦約２２．３ｍｍ、横約２０．３ｍｍと多少小さくなる。１ａは石を置く升目で大きさは３６１升すべて同じで、囲碁用語の地で言えば１升が１目となる。１ｂは升目に置いた石で現在使用の規格（白石が直径２１．９ｍｍ、黒石が２２．２ｍｍ、厚さは７ｍｍ〜１１．３ｍｍくらい）では升目より大きいため直径は１ｍｍほど小さいほうが好ましい。１ｃは囲碁を打ちやすくするための星と呼ばれる目印で中央（天元）も含め９箇所あり、高価な碁盤なら天元に家の家紋を入れるなども面白く、碁盤を華やかにする効果も期待できる。１ｄは端の線とスペースで、石を線に打たないので殆ど無くても競技に支障はない。ここが今までの碁盤と違う所だが、視覚的な錯覚を無くするためにもある程度の幅は在ったほうがよく、升目の面と段差をつけることも考えられる。１ｅは升を区分けする線で、幅約１ｍｍ深さ約１ｍｍ〜２ｍｍの溝か、幅約１ｍｍ、高さ１ｍｍ〜３ｍｍの立体的な形状が好ましい。立体線の材質は硬質で耐久力のある木材やゴム、プラスチックなどが考えられる。碁盤の厚みが一寸から二寸の卓上盤なら、反対面を１６９面盤や日本将棋盤、チェス盤などの他のゲーム盤にすることも考えられる。【００２４】  図２の２は８１面盤、３は１６９面盤を上から見た平面図で２と３を両面盤にした方が有効利用できる。子供や女性やお年寄り、また世界の人々が囲碁を始めるきっかけになる役割があるので特に重要である。大きさは現在一般的に使用している図４の九路、十三路の両面盤とほぼ同じで縦約３３ｃｍ、横約３０ｃｍである。２は１升を今の九路盤より大きくして碁盤のほぼ全面を使用する。２ａは石が置かれる升で大きさは縦３３ｍｍ、横３０ｍｍが好ましい。盤面は無駄な外側のスペースも少なくなり、高級感も出て、現在使用している９路盤のおもちゃの様な安っぽいイメージも良化できる。２ｂは打たれた石で、大きさは１升の横の長さ以内で直径約３０ｍｍ前後が好ましい。材質は今の硬質ガラスを拡大したものなど色々で、柘植の木材やハマグリ碁石にすれば相当高価な石になる。そのままでも大きくて見やすいが、面に何かデザインしたり白黒以外の色にしたりしても面白い。２ｃは天元の目印で、色々なデザインが考えられる。２ｄは盤淵のスペースで模様や色をつけてもよい。２ｅは１ｅと同じく凹凸どちらかにして区分けする。３は１６９面盤を上から見た平面図で、３ａは石を置く升で縦２３ｍｍ、横２１ｍｍが適当、３ｂは升に打たれた石で１の３６１面盤に使用する石と同じ大きさである。３ｃは目印で、３ｄは外側のスペースで、色をつければ碁盤も引き立つ。３ｅは１ｅ、２ｅと同様で升を区分けするための線である。２と両面盤にすれば１で使用する石と大きい石の二種類が必要になる。【００２５】  図３は現在囲碁で一般的に多く使用されている十九路盤を上から見た平面図。４ａはＬ字、４ｂはＴ字、４ｃは十字の石を打つ交点で形は違うが地としては同じ１目である。同数の石や地を囲うのに中央より辺、辺より隅は石数が少なく済む。視覚的な違いは、プロ棋士やアマ高段者は経験と技術力でカバーできるが初心者は無論のことアマ上級者や有段者でも錯覚して間違ってしまうことがある。４ｄは交点に打たれた石。４ｅは碁盤のまわりの淵で、石を置けるある程度の幅（約１２ｍｍ）が必要で、無いと石が打てない。錯覚には交点の形の違いも関係していると思われるが、４ｆのように隅や辺の外に線を引いて十字にするのは見た目にもよくない。目の錯覚を少しでも無くするために碁盤は少々縦長に作られているし、石も黒石は多少大きめに作られている。地の大きさの錯覚にも何か配慮したいところで、新囲碁の碁盤は同じ升目に打つため、多少はこの錯覚の緩和になる。プロ棋士の武宮正樹九段が盤面中央を大事に打つ戦法を宇宙流または自然流と言うが、感性豊かな子供はやはり中央を大事にする傾向があり自然である。【００２６】  図４は現在ある５の九路盤と６の十三路盤の両面盤をそれぞれ上から見た平面図。５ａの大きさは６の十三路盤や４の十九路盤の升目と同じである。５ｂは反対面が６の十三路盤になっているために生じた無駄なスペースで、５の九路盤は石の大きさに盤を合わせているため小さく、魅力のない碁盤になっている。６は５の反対面で現在ある十三路盤を上から見た平面図。今の両面盤でも５ｂの部分に何かデザインするなどの工夫があってもよく、対局機能以外の部分を軽視したデザインである。現在の交点に打つ方式の九路盤でも盤面を拡大して石を大きくすれば、囲碁にもっと親しみがわく碁盤になるはずである。【００２７】  図５の７は日本将棋盤を上から見た平面図で、盤面は２の８１面盤とほぼ同じなのがわかる。７ａは相手の駒を取った時にそれが解るように駒を置くための台で駒台と言う。７ｂは将棋駒を置く升目で新囲碁の８１面盤用の石も丁度収まる。７ｃは将棋駒で縦が横より多少長く作られており、７ｂの升目も縦長になっている。７ｄは升目に打たれた石で２の８１面盤の石を使い、碁石の両面に将棋駒を１セットデザインすれば碁石で将棋もできる。８は駒台、駒入れにも使える兼用碁笥の斜視図である。８ａは将棋盤用の碁笥の収納部分で、８ｂはその蓋部分であり、８ｃは蓋のずれ防止のための凸部分である。この様に碁笥が駒台、駒入れの三種類の役割を持てば無駄もなく、省エネルギーの観点からも良いと言える。また日本将棋と囲碁を同時に教えたり習ったりするには最適であり両方の普及に役立つ。【００２８】  図６は２種類の大きさの碁石を側面と上面からみた図で、９が３６１面盤と１６９面盤で使用する石で現在一般に使用している碁石と形状は同じでだが、多少小さくなり直径は約２０．３ｍｍが好ましい。９ａは横から見た側面図で、９ｂは上から見た平面図である。１０ａは８１面盤で使用する大きさの碁石で、９をそのまま拡大した形状で、１０ａは横から見た側面図で、１０ｂは上から見た平面図である。直径は約３０ｍｍ前後で白石は膨張色のため黒石は多少大きめにし、升の中に納まる大きさにする。図２の３と４の両面盤にはこの９と１０の２種類の大きさの石が必要になる。１０ｃは面にデザインした碁石で石が大きいためデザインしやすく、これを使って日本将棋の普及にも一役かうこともでき、日本の得意なアニメなどにすれば視覚的にも楽しいゲームになる。商品価値も上がり、現在のアニメ文化と伝統的な囲碁将棋文化の融合した魅力あるものになる。
【産業上の利用可能性】
【００２９】  以上実施の形態を挙げ説明してきた様に、本発明により現代の青少年や女性、目の不自由な方や世界の人々が、囲碁や将棋に興味を持つきっかけになる事が期待できる。日本の伝統文化である囲碁や将棋を普及しやすくなり、グローバルな人間関係を築く一助となる。囲碁や将棋により世界の人々との交流が活発になれば、無知から来る不信感や憎悪も無くなり戦争のない平和な世界が実現し、より安定した社会の構築に役立つ可能性がある。碁盤と石や碁笥の美術的価値を高めることにより、囲碁や将棋で使用する道具の収集家や愛好家を増やし、新たなデザイン分野が創造され、雇用の促進につながる。お年寄りが囲碁や将棋の趣味を持つことで生きがいが増え、脳を活性化する事により認知症の予防にもなる。楽しく老後を暮らすことにより長生きにつながり、それによる新しい産業が生まれる効果も期待できる。
【図面の簡単な説明】
【００３０】
【図１】新囲碁に使用する３６１面盤と盤面に打たれた石を上から見た平面図。
【図２】新囲碁に使用する８１面盤、１６９面盤と、盤面に打たれた石を上から見た平面図。
【図３】現在使用されている十九路盤と盤面に打たれた石を上から見た平面図。
【図４】現在使用されている九路盤と十三路盤を上から見た平面図。
【図５】日本将棋盤とその盤面に置かれた駒と石、兼用碁笥を上から見た図と兼用碁笥の斜視図。
【図６】新囲碁の３６１面盤、１６９面盤、８１面盤で使用する石の側面図と上から見た図とその上面にデザインされた石を上から見た図。
【符号の説明】
【００３１】１    ３６１面盤
１ａ  升目
１ｂ  升目に打たれた石
１ｃ  目印の星
１ｄ  面側の淵
１ｅ  升を区分けする凹凸の線
２    ８１面盤
２ａ  升目
２ｂ  升目に打たれた石
２ｃ  升を区分けする凹凸の線
３    １６９面盤
３ａ  升目
３ｂ  升目に打たれた石
３ｃ  天元の目印
３ｄ  面側の淵
３ｅ  升を区分けする凹凸の線
４    十九路盤
４ａ  Ｌ字交点
４ｂ  Ｔ字交点
４ｃ  十字交点
４ｄ  交点に打たれた石
４ｅ  面側のスペース
４ｆ  Ｌ字、Ｔ字交点を十字にした場合の線
５    九路盤
５ａ  九路盤の升目
５ｂ  九路盤の淵のスペース
６    十三路盤
７    日本将棋盤
７ａ  駒台
７ｂ  将棋盤の升目
７ｃ  升目に置かれた将棋駒
７ｄ  升目に打たれた石
８    兼用碁笥
８ａ  収納部分
８ｂ  蓋部分
８ｃ  蓋の凸部分
９    ３６１面盤用と１６９面盤用の碁石
９ａ  石の側面図
９ｂ  石を上から見た図
１０    ８１面盤用の石
１０ａ  石の側面図
１０ｂ  石を上から見た図
１０ｃ  面にイラストされた石
【図１】
2009297475.tif 000003
【図２】
2009297475.tif 000004
【図３】
2009297475.tif 000005
【図４】
2009297475.tif 000006
【図５】
2009297475.tif 000007
【図６】
2009297475.tif 000008